(57)【要約】【課題】所定期間内の通信記録情報を小冊子形式でプリントする。【解決手段】ファクシミリ装置２０は、相手先のファクシミリ装置から画像データをファクシミリ送受信し、ＲＡＭ７と、主制御部１とを備える。ＲＡＭ７は、画像データを送受信したとき、通信に関する通信記録情報を含む通信記録管理テーブル７ａを格納する。主制御部１は、通信記録管理テーブル７ａに基づいて所定期間内の通信記録情報を含む画像データを作成し、当該画像データの画像を小冊子形式でプリントするように制御する。ここで、主制御部１は、ファクシミリ送受信の回数が所定数を超えたとき、所定期間内であっても、通信記録管理テーブル７ａに基づいて所定数の通信記録情報を含む画像データを作成し、当該画像データの画像を小冊子形式でプリントするように制御する。【選択図】図１
2008017038.tif 000002
【特許請求の範囲】
【請求項１】
相手先の通信端末装置と画像データをファクシミリ送受信する通信端末装置において、
画像データを送受信したとき、通信に関する通信記録情報を含む通信記録管理テーブルを格納する記憶手段と、
前記通信記録管理テーブルに基づいて所定期間内の前記通信記録情報を含む画像データを作成し、当該画像データの画像を小冊子形式でプリントするように制御する制御手段とを備えたことを特徴とする通信端末装置。
【請求項２】
前記制御手段は、ファクシミリ送受信の回数が所定数を超えたとき、前記所定期間内であっても、前記通信記録管理テーブルに基づいて前記所定数の前記通信記録情報を含む画像データを作成し、当該画像データの画像を小冊子形式でプリントするように制御することを特徴とする請求項１記載の通信端末装置。
【請求項３】
前記記憶手段は、前記通信記録情報の目次情報を含む目次テーブルをさらに格納し、
前記制御手段は、画像データの画像を小冊子形式でプリントするとき、前記目次テーブルに基づいて前記目次情報を含む目次ページを含む小冊子形式でプリントするように制御することを特徴とする請求項１又は２記載の通信端末装置。
【発明の詳細な説明】
【技術分野】
【０００１】
本発明は、例えば、ファクシミリ装置等の通信端末装置に関する。
【背景技術】
【０００２】
特許文献１に、通信管理レポートの紛失を未然に防止でき、お客様満足度を向上できるファクシミリ装置が開示されている。特許文献１のファクシミリ装置は、予め通信管理情報の送信相手先番号を記憶しておき、所定の自動送信開始要因が発生すると、蓄積していた通信管理情報に基づく通信管理レポート画情報を作成し、その作成した通信管理レポート画情報を、前記送信相手先番号に発呼して送信出力する。
【０００３】
【特許文献１】特開平８−１３９８９９号公報。
【発明の開示】
【発明が解決しようとする課題】
【０００４】
しかしながら、上記従来例のファクシミリ装置においては、例えば１日に一回プリントされる通信管理レポートを１ヶ月間分蓄積しておき、それを１ヶ月に１度、管理者が回収し、ページの順序等を確認した上でファイルに綴じる作業を行わなければならず、手間が掛かる、という問題点があった。
【０００５】
本発明の目的は以上の問題点を解決し、所定期間内の通信記録情報を小冊子形式でプリントすることができるファクシミリ装置等の通信端末装置を提供することにある。
【課題を解決するための手段】
【０００６】
本発明に係る通信端末装置は、相手先の通信端末装置と画像データをファクシミリ送受信する通信端末装置において、画像データを送受信したとき、通信に関する通信記録情報を含む通信記録管理テーブルを格納する記憶手段と、前記通信記録管理テーブルに基づいて所定期間内の前記通信記録情報を含む画像データを作成し、当該画像データの画像を小冊子形式でプリントするように制御する制御手段とを備えたことを特徴とする。
【０００７】
また、上記通信端末装置において、前記制御手段は、ファクシミリ送受信の回数が所定数を超えたとき、前記所定期間内であっても、前記通信記録管理テーブルに基づいて前記所定数の前記通信記録情報を含む画像データを作成し、当該画像データの画像を小冊子形式でプリントするように制御することを特徴とする。
【０００８】
さらに、上記通信端末装置において、前記記憶手段は、前記通信記録情報の目次情報を含む目次テーブルをさらに格納し、前記制御手段は、画像データの画像を小冊子形式でプリントするとき、前記目次テーブルに基づいて前記目次情報を含む目次ページを含む小冊子形式でプリントするように制御することを特徴とする。
【発明の効果】
【０００９】
従って、本発明に係る通信端末装置によれば、通信記録管理テーブルに基づいて所定期間内の通信記録情報を含む画像データを作成し、当該画像データの画像を小冊子形式でプリントするので、通信管理レポートの管理に掛かる手間を削減することができる。
【００１０】
また、ファクシミリ送受信の回数が所定数を超えたとき、所定期間内であっても、通信記録管理テーブルに基づいて所定数の通信記録情報を含む画像データを作成し、当該画像データの画像を小冊子形式でプリントするので、通信記録情報を格納するための領域を小さくすることができる。
【００１１】
さらに、画像データの画像を小冊子形式でプリントするとき、目次テーブルに基づいて目次情報を含む目次ページを含む小冊子形式でプリントするので、通信管理レポートの管理を容易にすることができる。
【発明を実施するための最良の形態】
【００１２】
以下、本発明に係る実施形態について図面を参照して説明する。なお、以下の各実施形態において、同様の構成要素については同一の符号を付している。
【００１３】
図１は、本発明に係る実施形態であるファクシミリ装置２０の構成を示すブロック図である。本実施形態に係るファクシミリ装置２０は、相手先のファクシミリ装置から画像データをファクシミリ送受信し、ＲＡＭ７と、主制御部１とを備える。ＲＡＭ７は、画像データを送受信したとき、通信に関する通信記録情報を含む通信記録管理テーブル７ａを格納する。主制御部１は、通信記録管理テーブル７ａに基づいて所定期間内の通信記録情報を含む画像データを作成し（図８のステップＳ５８）、当該画像データの画像を小冊子形式でプリントする（図８のステップＳ６２）ように制御することを特徴とする。ここで、主制御部１は、ファクシミリ送受信の回数が所定数を超えたとき、所定期間内であっても、通信記録管理テーブル７ａに基づいて所定数の通信記録情報を含む画像データを作成し、当該画像データの画像を小冊子形式でプリントする（図５のステップＳ１３）ように制御する。また、ＲＡＭ７は、通信記録情報の目次情報を含む目次テーブル７ｂをさらに格納し、主制御部１は、画像データの画像を小冊子形式でプリントするとき、目次テーブル７ｂに基づいて目次情報を含む目次ページを含む小冊子形式でプリントする（図８のステップＳ６１）ように制御する。
【００１４】
また、本実施形態に係るファクシミリ装置２０は、相手先のファクシミリ装置から画像データをファクシミリ送受信し、ＲＡＭ７と、主制御部１とを備える。ＲＡＭ７は、画像データを送受信したとき、通信に関する通信記録情報を含む通信記録管理テーブル７ａと、通信記録情報の目次情報を格納するための目次テーブル７ｂとを格納する。主制御部１は、通信記録管理テーブル７ａに基づいて通信記録情報を含む画像データの画像をプリントし（図９のステップＳ４６）、目次テーブル７ｂに基づいて目次情報を含む目次ページの画像をプリントするように制御する（図６のステップＳ２４）ことを特徴とする。ここで、主制御部１は、通信記録管理テーブル７ａに基づいて通信記録情報を含む画像データの画像をプリントしたときに、目次情報を生成して目次テーブル７ｂに追加して格納する（図９のステップＳ４７）ように制御する。また、主制御部１は、各目次情報に対応するページ番号を示す情報をさらに含む目次ページの画像をプリントする（図６のステップＳ２４）ように制御する。さらに、主制御部１は、目次テーブル７ｂに基づいて表紙ページをさらにプリントする（図６のステップＳ２４）ように制御する。
【００１５】
図１において、ファクシミリ装置２０は、主制御部（ＣＰＵ）１と、画像読取部２と、画像記録部３と、表示部４と、操作部５と、ＲＯＭ６と、ＲＡＭ７と、画像メモリ８と、ファックスモデム１０と、ＮＣＵ（ネットワーク制御回路：Network Control Unit）１１とを備えて構成され、上記各構成要素１乃至１１は、バス１３を介して互いに接続されている。ＮＣＵ１１は、公衆電話回線Ｌを介して相手先のファクシミリ装置と接続されている。
【００１６】
以下の本実施形態において、以下のモードが選択される。
（ａ）日報プリントモード：一日に一回、ユーザによって予め設定された所定の時刻に、所定サイズの用紙に通信記録情報を含む１ページ分の画像データの画像をプリントする処理（以下、日報プリント処理という。）を行う設定モード。
（ｂ）一括プリントモード：一ヶ月に一回、ユーザによって予め設定された毎月の所定の日の時刻に、所定サイズの用紙に表裏それぞれ２ページ分の画像データの画像を集約して両面プリントする処理（以下、一括プリント処理という。）を行う設定モード。
（ｃ）所定数通信プリントモード：日報プリントモード及び一括プリントモードの各モードにおいて、ファクシミリ送受信の回数がそれぞれ決められた所定数を越えたときに、予め設定された時刻を計時しなくても、画像データの画像をプリントする処理を行うオプションの設定モード。
【００１７】
ファクシミリ装置２０は、従来のＧ３方式等のファクシミリ通信機能を備える。主制御部１は具体的にはＣＰＵ（中央処理装置：Central Processing Unit）で構成されており、バス１３を介して以下のハードウェア各部と接続されてそれらを制御するほか、後述する種々のソフトウェアの機能を実行する。
【００１８】
画像読取部２は、ＣＣＤ等を利用したスキャナで原稿を読み取り、白黒２値に変更したドット画像データを出力する。画像記録部３は電子写真方式等のプリンタ装置であり、他のファクシミリ装置からファクシミリ通信により受信した画像データをハードコピーとしてプリントアウトして記録する。表示部４は、液晶表示装置（ＬＣＤ）又はＣＲＴディスプレイ等の表示装置であり、当該ファクシミリ装置２０の動作状態の表示や、送信すべき原稿の画像データ及び受信した画像データの表示を行う。
【００１９】
操作部５は、当該ファクシミリ装置２０を操作するために必要な文字キー、ダイヤル用テンキー、短縮ダイヤルキー、ワンタッチダイヤルキー、日報プリントを実行するための日報プリントキー、一括プリントを実行するための一括プリントキー、目次プリントを実行するための目次プリントキー、及び各種のファンクションキー等を備える。なお、上述の表示部４をタッチパネル方式とすることにより、この操作部５の各種キーの内の一部又は全部を代用するように構成してもよい。
【００２０】
ＲＯＭ６は、当該ファクシミリ装置２０の動作に必要であって主制御部１によって実行される種々のソフトウェアのプログラムを予め格納し、ここで、当該プログラムは、少なくとも後述する図４の通信管理処理、図５の所定数通信プリント処理、図６のキーイベント処理、図７のタイマプリント処理、図８の一括プリント処理、及び図９の日報プリント処理のプログラムを含む。ＲＡＭ７（Random Access Memory）は、ＳＲＡＭ（Static Random Access Memory）又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ（Dynamic Random Access Memory）等で構成され、送信すべき画像データ又は受信した画像データを記憶する。なお、ＲＡＭ７及び画像メモリ８をハードディスクメモリで構成してもよい。
【００２１】
ここで、ＲＡＭ７は、図２に示す通信記録管理テーブル７ａ及び図３に示す目次テーブル７ｂを記憶する。通信記録管理テーブル７ａは、図２に示すように、ファクシミリ装置２０が行った通信毎に、相手先名、画質モード、通信種別、通信開始日時、通信時間、通信枚数及び結果を通信記録情報として格納する。相手先名としては、アドレス帳に登録されている相手先であればその登録名を格納し、それ以外の相手先であれば相手先の電話番号を格納する。画質モードとしては、画像読取部２の読取の解像度の設定に応じて、「標準」、「高画質」及び「超高画質」のいずれかを格納する。通信種別としては、「送信」及び「受信」のいずれかを格納する。また、図３に示す目次テーブル７ｂは、日付と、通信記録情報の数を示す通信記録情報数ＣＮＴＰとを対応付けた目次情報を格納する。目次情報は、通信記録管理テーブル７ａに基づいて通信記録情報を含む画像データの画像をプリントしたときに生成されて目次テーブル７ｂに追加される。
【００２２】
ファックスモデム１０は、ＮＣＵ１１を介して公衆電話回線Ｌに接続され、通常のファクシミリ通信用のファックスモデムの機能を有するモデムであり、ＦＳＫ信号（周波数シフトキーイング信号）として受信される発信電話番号情報のデータを復調して主制御部１に出力する。ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ＩＳＤＮ回線等のベースバンド伝送方式のデジタル回線に接続するようにしてもよい。
【００２３】
以上のように構成された本実施形態のファクシミリ装置２０は、通常のＧ３方式等のファクシミリ通信機能を有している。ファクシミリ通信機能において、画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに複合化されて画像記録部３からハードコピーとして出力される。なお、画像メモリ８は画像データを必要に応じて記憶し、また逆に記憶している画像データを必要に応じて出力する。
【００２４】
図４は、図１のファクシミリ装置２０の主制御部１によって実行される通信管理処理を示すフローチャートである。
【００２５】
図４のステップＳ１Ａにおいて、通信数カウンタＣＮＴを０に初期化する。ステップＳ１において、送信イベントがあったか否かが判断され、ＹＥＳのときはステップＳ２に進む一方、ＮＯのときはステップＳ３に進む。ステップＳ２において、ファクシミリ送信処理が実行された後、ステップＳ６に進む。ステップＳ３において、着信があったか否かが判断され、ＹＥＳのときはステップＳ４に進む一方、ＮＯのときはステップＳ５に進む。ステップＳ４において、ファクシミリ受信処理が実行された後、ステップＳ６に進む。ステップＳ６において、ファクシミリ送信処理又はファクシミリ受信処理に関する通信記録情報を通信記録管理テーブル７ａに追加して格納する。ステップＳ７において、通信数カウンタＣＮＴを１だけ増やす。ステップＳ８において、所定数通信プリント処理（図５参照）を実行した後、ステップＳ１に戻って処理を繰り返す。ステップＳ５において、キーイベントがあったか否かが判断され、ＹＥＳのときはステップＳ９に進む一方、ＮＯのときはステップＳ１０に進む。ステップＳ９において、キーイベント処理（図６参照）を実行した後、ステップＳ１に戻って処理を繰り返す。ステップＳ１０において、タイマプリント処理（図７参照）を実行した後、ステップＳ１に戻って処理を繰り返す。
【００２６】
図５は、図１のファクシミリ装置２０の主制御部１によって実行される図４のステップＳ８の所定数通信プリント処理を示すフローチャートである。
【００２７】
図５のステップＳ１１において、所定数通信プリントモードに設定されているか否かが判断され、ＮＯのときは図４の元のルーチンに戻る一方、ＹＥＳのときはステップＳ１２に進む。ステップＳ１２において、一括プリントモードに設定されているか否かが判断され、ＹＥＳのときはステップＳ１３に進む一方、ＮＯのときはステップＳ１５に進む。ステップＳ１３において、通信数カウンタＣＮＴが第２のしきい値ＣＮＴＴＨ２（例えば１５００）を上回っているか否かが判断され、ＹＥＳのときはステップＳ１４に進む一方、ＮＯのときは図４の元のルーチンに戻る。ステップＳ１４において、一括プリント処理（図８参照）を実行した後、図４の元のルーチンに戻る。ステップＳ１５において、通信数カウンタＣＮＴが第１のしきい値ＣＮＴＴＨ１（例えば５０）を上回っているか否かが判断され、ＹＥＳのときはステップＳ１６に進む一方、ＮＯのときは図４の元のルーチンに戻る。ここで、第１のしきい値ＣＮＴＴＨ１は、所定サイズの用紙１ページにプリント可能な通信記録情報の数である。ステップＳ１６において、日報プリント処理（図９参照）を実行した後、図４の元のルーチンに戻る。
【００２８】
図６は、図１のファクシミリ装置２０の主制御部１によって実行される図４のステップＳ９のキーイベント処理を示すフローチャートである。
【００２９】
図６のステップＳ２０において、日報プリントキーがオンされたか否かが判断され、ＮＯのときはステップＳ２１に進む一方、ＹＥＳのときはステップＳ１６に進む。ステップＳ１６において、日報プリント処理（図９参照）を実行した後、図４の元のルーチンに戻る。ステップＳ２１において、一括プリントキーがオンされたか否かが判断され、ＮＯのときはステップＳ２２に進む一方、ＹＥＳのときはステップＳ１４に進む。ステップＳ１４において、一括プリント処理（図８参照）を実行した後、図４の元のルーチンに戻る。ステップＳ２２において、目次プリントキーがオンされたか否かが判断され、ＮＯのときはステップＳ２３に進む一方、ＹＥＳのときはステップＳ２４に進む。ステップＳ２４において、図３に示す目次テーブル７ｂに基づいて、図１０（ａ）に示す表紙ページ及び図１０（ｂ）に示す目次ページのプリント出力画像を作成して片面プリントした後、図４の元のルーチンに戻る。ここで、図１０（ａ）の表紙ページは、図３の目次テーブル７ｂに含まれる目次情報のうち、最も古い目次情報に対応する日付である２００６年１月２６日を開始日付として含み、最も新しい目次情報に対応する日付（例えば２００６年２月２５日）を終了日付として含む。また、図１０（ｂ）の目次ページは、目次情報に対応するページ番号の情報を含む。ページ番号は、例えば、ステップＳ２４において、図３の目次テーブル７ｂの最も古い目次情報から順に連番を割り当てることによって求められる。なお、図１０（ｂ）に示した出力例では、同一日付の目次情報を１つにまとめて出力することにより、目次ページをより見易くしている。ステップＳ２３において、その他のキーがオンされたか否かが判断され、ＮＯのときは図４の元のルーチンに戻る一方、ＹＥＳのときはステップＳ２５に進む。ステップＳ２５において、その他のキーの処理を実行した後、図４の元のルーチンに戻る。
【００３０】
図７は、図１のファクシミリ装置２０の主制御部１によって実行される図１のステップＳ１０のタイマプリント処理を示すフローチャートである。
【００３１】
図７のステップＳ３０において、一括プリントモードが設定されているか否かが判断され、ＮＯのときはステップＳ３１に進む一方、ＹＥＳのときはステップＳ３２に進む。ステップＳ３１において、操作部５のキー等によりユーザによって予め設定された所定の時刻、例えば午前９時を計時したか否かが判断され、ＮＯのときは図４の元のルーチンに戻る一方、ＹＥＳのときはステップＳ１６に進む。ステップＳ１６において、日報プリント処理（図９参照）を実行した後、図４の元のルーチンに戻る。ステップＳ３２において、操作部５のキー等によりユーザによって予め設定された毎月の所定の日の時刻、例えば毎月１日の午前９時を計時したか否かが判断され、ＮＯのときは図４の元のルーチンに戻る一方、ＹＥＳのときはステップＳ１４に進む。ステップＳ１４において、一括プリント処理（図８参照）を実行した後、図４の元のルーチンに戻る。
【００３２】
図８は、図１のファクシミリ装置２０の主制御部１によって実行される図５、図６、図７のステップＳ１４の一括プリント処理を示すフローチャートである。
【００３３】
図８のステップＳ５０において、通信記録管理テーブル７ａの先頭の通信記録情報を選択する。ステップＳ５１において、通信記録情報数カウンタＣＮＴＰを１に初期化する。ステップＳ５２において、選択した通信記録情報を一時メモリに格納する。ステップＳ５３において、通信記録情報数カウンタＣＮＴＰが第１のしきい値ＣＮＴＴＨ１（例えば５０）を上回っているか否かが判断され、ＮＯのときはステップＳ５４に進む一方、ＹＥＳのときはステップＳ５７に進む。第１のしきい値ＣＮＴＴＨ１は、所定サイズの用紙１ページにプリント可能な通信記録情報の数である。ステップＳ５４において、一時メモリに格納した通信記録情報と同一日付の最後の通信記録情報か否かが判断され、ＮＯのときはステップＳ５５に進む一方、ＹＥＳのときはステップＳ５７に進む。
【００３４】
ステップＳ５７において、一時メモリに格納した通信記録情報の日付とそれらの通信記録情報の数ＣＮＴＰとを対応付けて目次テーブル７ｂに追加して格納する。ステップＳ５８において、当該ＣＮＴＰ個の通信記録情報を含み、所定サイズの用紙の大きさのプリント出力画像を作成して、そのプリント出力画像データを画像メモリ８に保存する。即ち、１ページにプリント可能な通信記録情報の数を超える度、及び、通信記録情報の日付が変わる度に、通信記録情報がプリントされるページが新しくなり、目次テーブル７ｂには、それぞれのページ毎の通信記録情報の日付と、そのページにプリントされる通信記録情報の数とが対応付けられて格納される。ステップＳ５９において、通信記録情報数カウンタＣＮＴＰを０にリセットし、一時メモリに格納した通信記録情報を削除する。ステップＳ６０において、通信記録管理テーブル７ａの全ての通信記録情報が選択されたか否かが判断され、ＮＯのときはステップＳ５５に進む一方、ＹＥＳのときはステップＳ６１に進む。ステップＳ５５において、次の通信記録情報を選択する。ステップＳ５６において、通信記録情報数カウンタＣＮＴＰを１だけ増やした後、ステップＳ５２に戻って処理を繰り返す。
【００３５】
ステップＳ６１において、目次テーブル７ｂに基づいて、表紙ページ及び目次ページのプリント出力画像を作成し、画像メモリ８に保存された通信記録情報のプリント出力画像の先頭に追加する。表紙ページ及び目次ページについては、図１０を用いて既に説明した。ステップＳ６２において、画像メモリ８に保存された全てのプリント出力画像データを小冊子プリントモードで両面プリントする。ここで、小冊子プリントモードとは、小冊子形式でプリントすることをいい、小冊子形式とは、例えば、図１２（ａ）及び（ｂ）に示すように、所定サイズの用紙の表側に４ページ目（２００６年１月２７日の通信管理レポート）及び１ページ目（表紙ページ）を集約して両面プリントし、裏側に２ページ目（目次ページ）及び３ページ目（２００６年１月２６日の通信管理レポート）を集約して両面プリントすることにより、４ページ分の情報を所定サイズの用紙１枚にプリントすることを示す。このとき、表紙ページ及び目次ページ以外の通信管理レポートについては、ページ上部中央にページ番号を連番で付加する。このように小冊子プリントモードで両面プリントした１枚の用紙は、その用紙を図１２において破線で示す箇所で表紙が外側になるように縦半分に折り曲げたときに、１ページ目（表紙ページ）、２ページ目（目次ページ）、３ページ目（２００６年１月２６日の通信管理レポート）、４ページ目（２００６年１月２７日の通信管理レポート）の順の小冊子になる。
【００３６】
また、別の例として、図１３（ａ）及び（ｂ）、及び、図１４（ａ）及び（ｂ）に示すように、図１３（ａ）に示す１枚目の表側に８ページ目（２００６年１月２９日の通信管理レポート）及び１ページ目（表紙ページ）を集約して両面プリントし、図１３（ｂ）に示す１枚目の裏側に２ページ目（目次ページ）及び７ページ目（２００６年１月２９日の通信管理レポート）を集約して両面プリントし、図１４（ａ）に示す２枚目の表側に６ページ目（２００６年１月２８日の通信管理レポート）及び３ページ目（２００６年１月２６日の通信管理レポート）を集約して両面プリントし、図１４（ｂ）に示す２枚目の裏側に４ページ目（２００６年１月２７日の通信管理レポート）及び５ページ目（２００６年１月２８日の通信管理レポート）を集約して両面プリントすることにより、８ページ分の情報を所定サイズの用紙２枚にプリントする。このように小冊子プリントモードで両面プリントした複数枚の用紙は、その用紙を表紙ページが一番上に来るように順に重ねた状態で、図１３及び図１４において破線で示す箇所で表紙が外側になるように縦半分に折り曲げて、折り曲げた部分をホッチキス留めしたときに、１ページ目（表紙ページ）、２ページ目（目次ページ）、３ページ目（２００６年１月２６日の通信管理レポート）、４ページ目（２００６年１月２７日の通信管理レポート）、５ページ目（２００６年１月２８日の通信管理レポート）、６ページ目（２００６年１月２８日の通信管理レポート）、７ページ目（２００６年１月２９日の通信管理レポート）、８ページ目（２００６年１月２９日の通信管理レポート）の順の小冊子になる。
【００３７】
ステップＳ６３において、通信数カウンタＣＮＴを０にリセットする。ステップＳ６４において、通信記録テーブル７ａ及び目次テーブル７ｂ内の全てのデータを消去した後、図５、図６、図７の元のルーチンに戻る。
【００３８】
図９は、図１のファクシミリ装置２０の主制御部１によって実行される図５、図６、図７のステップＳ１６の日報プリント処理を示すフローチャートである。
【００３９】
図９のステップＳ４０において、通信記録管理テーブル７ａの前日分の通信記録情報のうち、最も古い通信記録情報を選択する。ステップＳ４１において、通信記録情報数カウンタＣＮＴＰを１に初期化する。ステップＳ４１Ａにおいて、選択した通信記録情報を一時メモリに格納する。ステップＳ４２において、通信記録情報数カウンタＣＮＴＰが第１のしきい値ＣＮＴＴＨ１（例えば５０）を上回っているか否かが判断され、ＮＯのときはステップＳ４３に進む一方、ＹＥＳのときはステップＳ４６に進む。第１のしきい値ＣＮＴＴＨ１は、所定サイズの用紙１ページにプリント可能な通信記録情報の数である。ステップＳ４３において、一時メモリに格納した通信記録情報と同一日付の最後の通信記録情報か否かが判断され、ＮＯのときはステップＳ４４に進む一方、ＹＥＳのときはステップＳ４６に進む。
【００４０】
ステップＳ４６において、一時メモリに格納したＣＮＴＰ個の通信記録情報を含み、所定サイズの用紙の大きさのプリント出力画像を作成して日報プリントモードで片面プリントする。このときの出力例を図１１に示す。図１１において、一時メモリに格納した通信記録情報に対応する日付とともに、図２の通信記録管理テーブル７ａと同様の内容がプリントされている。ステップＳ４７において、一時メモリに格納した通信記録情報の日付と、それらの通信記録情報の数ＣＮＴＰとを対応付けて目次テーブル７ｂに追加して格納する。即ち、目次テーブル７ｂには、プリントされるページ毎の通信記録情報の日付と、そのページにプリントされる通信記録情報の数とが対応付けられて格納される。前日分の通信記録情報の数が、１ページにプリント可能な通信記録情報の数を超える場合には、複数枚以上のページがプリントされるが、その場合は、そのページの数だけ目次テーブル７ｂに目次情報が格納される。例えば、図３において、２００６年１月２８日分の通信記録情報は、２ページに渡ってプリントされたため、同一日付で２つの目次情報が格納されている。ステップＳ４８において、通信記録管理テーブル７ａの前日分の通信記録情報を全てプリントしたか否かが判断され、ＹＥＳのときはステップＳ４９に進む一方、ＮＯのときはステップＳ４９Ａに進む。ステップＳ４９において、通信数カウンタＣＮＴを０にリセットし、図５、図６、図７の元のルーチンに戻る。ステップＳ４９Ａにおいて、通信記録情報数カウンタＣＮＴＰを０にリセットし、一時メモリに格納した通信記録情報を削除した後、ステップＳ４４に進む。ステップＳ４４において、次の通信記録情報を選択する。ステップＳ４５において、通信記録情報数カウンタＣＮＴＰを１だけ増やした後、ステップＳ４１Ａに戻って処理を繰り返す。
【００４１】
なお、本実施形態において、目次テーブル７ｂに基づいて表紙ページ及び目次ページの両方をプリントした。しかし、本発明はこの構成に限らず、目次ページのみをプリントしても、表紙ページ及び目次ページを同一ページにプリントしてもよい。
【００４２】
また、一括プリント処理では、所定サイズの１枚の用紙に４ページ分のプリント出力画像を両面プリントした。しかし、本発明はこの構成に限らず、ユーザの設定に応じて、所定サイズの１枚の用紙に２ページ分の画像を両面プリントしても、所定サイズの１枚の用紙に１ページ分のプリント出力画像を片面プリントしてもよく、あるいは、それ以外の種々のプリントレイアウトが考えうることは言うまでもない。
【００４３】
さらに、一括プリント処理及び日報プリント処理において、所定サイズの用紙１ページにプリント可能な通信記録情報の数を第１のしきい値ＣＮＴＴＨ１とした。しかし、本発明はこの構成に限らず、一括プリント処理及び日報プリント処理において、互いに異なるしきい値を設定してもよい。
【００４４】
以上説明したように、本実施形態に係るファクシミリ装置２０によれば、主制御部１は、通信記録管理テーブル７ａに基づいて所定期間内の通信記録情報を含む画像データを作成し、当該画像データの画像を小冊子形式でプリントするように制御する。従って、通信管理レポートの管理に掛かる手間を削減することができる。
【００４５】
また、上記ファクシミリ装置２０において、主制御部１は、ファクシミリ送受信の回数が所定数を超えたとき、所定期間内であっても、通信記録管理テーブル７ａに基づいて所定数の通信記録情報を含む画像データを作成し、当該画像データの画像を小冊子形式でプリントするように制御する。従って、通信記録情報を格納するための領域を小さくすることができる。
【００４６】
さらに、上記ファクシミリ装置２０において、ＲＡＭ７は、通信記録情報の目次情報を含む目次テーブル７ｂをさらに格納し、主制御部１は、画像データの画像を小冊子形式でプリントするとき、目次テーブル７ｂに基づいて目次情報を含む目次ページを含む小冊子形式でプリントするように制御する。従って、通信管理レポートの管理を容易にすることができる。
【００４７】
また、本実施形態に係るファクシミリ装置２０によれば、主制御部１は、通信記録管理テーブル７ａに基づいて通信記録情報を含む画像データの画像をプリントし、目次テーブル７ｂに基づいて目次情報を含む目次ページの画像をプリントするように制御する。従って、通信管理レポートの管理を容易にすることができる。
【００４８】
また、上記ファクシミリ装置２０において、主制御部１は、通信記録管理テーブル７ａに基づいて通信記録情報を含む画像データの画像をプリントしたときに、目次情報を生成して目次テーブル７ｂに追加して格納するように制御する。従って、通信記録情報を含む画像データの画像をプリントしたタイミングと目次情報とを対応付けることができ、通信管理レポートの管理を容易にすることができる。
【００４９】
さらに、上記ファクシミリ装置２０において、各目次情報に対応するページ番号を示す情報をさらに含む目次ページの画像をプリントするように制御する。従って、通信管理レポートを見易くすることができる。
【００５０】
またさらに、上記ファクシミリ装置２０において、主制御部１は、目次テーブル７ｂに基づいて表紙ページをさらにプリントするように制御する。従って、通信管理レポートの管理をさらに容易にすることができる。
【産業上の利用可能性】
【００５１】
以上詳述したように、本発明に係る通信端末装置によれば、通信記録管理テーブルに基づいて所定期間内の通信記録情報を含む画像データを作成し、当該画像データの画像を小冊子形式でプリントするので、通信管理レポートの管理に掛かる手間を削減することができる。
【００５２】
また、ファクシミリ送受信の回数が所定数を超えたとき、所定期間内であっても、通信記録管理テーブルに基づいて所定数の通信記録情報を含む画像データを作成し、当該画像データの画像を小冊子形式でプリントするので、通信記録情報を格納するための領域を小さくすることができる。
【００５３】
さらに、画像データの画像を小冊子形式でプリントするとき、目次テーブルに基づいて目次情報を含む目次ページを含む小冊子形式でプリントするので、通信管理レポートの管理を容易にすることができる。
【図面の簡単な説明】
【００５４】
【図１】本発明に係る実施形態であるファクシミリ装置２０の構成を示すブロック図である。
【図２】図１のファクシミリ装置２０のＲＡＭ７に記憶された通信記録管理テーブル７ａの一例を示す図である。
【図３】図１のファクシミリ装置２０のＲＡＭ７に記憶された目次テーブル７ｂの一例を示す図である。
【図４】図１のファクシミリ装置２０の主制御部１によって実行される通信管理処理を示すフローチャートである。
【図５】図１のファクシミリ装置２０の主制御部１によって実行される所定数通信プリント処理を示すフローチャートである。
【図６】図１のファクシミリ装置２０の主制御部１によって実行されるキーイベント処理を示すフローチャートである。
【図７】図１のファクシミリ装置２０の主制御部１によって実行されるタイマプリント処理を示すフローチャートである。
【図８】図１のファクシミリ装置２０の主制御部１によって実行される日報プリント処理を示すフローチャートである。
【図９】図１のファクシミリ装置２０の主制御部１によって実行される一括プリント処理を示すフローチャートである。
【図１０】図１のファクシミリ装置２０の目次プリント処理の出力例を示す図である。
【図１１】図１のファクシミリ装置２０の日報プリント処理の出力例を示す図である。
【図１２】図１のファクシミリ装置２０の一括プリント処理の出力例を示す図である。
【図１３】図１のファクシミリ装置２０の一括プリント処理の他の出力例（１枚目）を示す図である。
【図１４】図１のファクシミリ装置２０の一括プリント処理の他の出力例（２枚目）を示す図である。
【符号の説明】
【００５５】
１…主制御部（ＣＰＵ）、
２…画像読取部、
３…画像記録部、
４…表示部、
５…操作部、
６…ＲＯＭ、
７…ＲＡＭ、
７ａ…通信記録管理テーブル、
７ｂ…目次テーブル、
８…画像メモリ、
１０…ファックスモデム、
１１…ＮＣＵ、
１３…バス、
２０…ファクシミリ装置。
【図１】
2008017038.tif 000003
【図２】
2008017038.tif 000004
【図３】
2008017038.tif 000005
【図４】
2008017038.tif 000006
【図５】
2008017038.tif 000007
【図６】
2008017038.tif 000008
【図７】
2008017038.tif 000009
【図８】
2008017038.tif 000010
【図９】
2008017038.tif 000011
【図１０】
2008017038.tif 000012
【図１１】
2008017038.tif 000013
【図１２】
2008017038.tif 000014
【図１３】
2008017038.tif 000015
【図１４】
2008017038.tif 000016